(57)【要約】【課題】  構成を簡素化させ小型化が可能であり、また、視認性及び操作性を向上させることが可能な空気調和機の制御装置を提供する。【解決手段】  複数の運転設定に基づいて運転する空気調和機Ａの制御装置（リモートコントローラ）１である。前記各運転設定の設定値と設定変更対象を選択するための選択ボタンと前記設定値を変更するための変更ボタンとを表示可能な表示手段６と、前記選択ボタンあるいは前記変更ボタンに対する選択動作を行うためのキー入力手段２と、キー入力手段２によって前記選択ボタンが選択動作されたと判定される場合に表示手段６に前記変更ボタンを表示させ、さらに前記変更ボタンが選択動作されたと判定される場合に前記設定値を変更する制御手段３と、を備えてなる。【選択図】  図１
2009257668.tif 000002
【特許請求の範囲】
【請求項１】
複数の運転設定に基づいて運転する空気調和機の制御装置であって、
前記各運転設定の設定値と設定変更対象を選択するための選択ボタンと前記設定値を変更するための変更ボタンとを表示可能な表示手段と、
前記選択ボタンあるいは前記変更ボタンに対する選択動作を行うためのキー入力手段と、
前記キー入力手段によって前記選択ボタンが選択動作されたと判定される場合に前記表示手段に前記変更ボタンを表示させ、さらに前記変更ボタンが選択動作されたと判定される場合に前記設定値を変更する制御手段と、を備えてなることを特徴とする空気調和機の制御装置。
【請求項２】
前記制御手段は、前記設定変更対象に選択された前記運転設定の前記設定値の表示個所周辺に前記変更ボタンを表示させることを特徴とする請求項１に記載の空気調和機の制御装置。
【請求項３】
前記制御手段は、前記表示手段に前記変更ボタンを表示させる際に前記設定変更対象に選択された前記運転設定の前記設定値を縮小表示させることを特徴とする請求項２に記載の空気調和機の制御装置。
【請求項４】
前記制御手段は、前記変更ボタンの表示後に所定時間前記変更ボタンが選択動作されない場合は、前記変更ボタンの表示を終了させることを特徴とする請求項１に記載の空気調和機の制御装置。
【請求項５】
前記選択ボタンは、前記設定値の表示個所からなることを特徴とする請求項１に記載の空気調和機の制御装置。
【請求項６】
前記運転設定は、温度設定，湿度設定あるいは風量設定のいずれかを少なくとも含むことを特徴とする請求項１に記載の空気調和機の制御装置。
【請求項７】
前記キー入力手段は、タッチパネルからなることを特徴とする請求項１に記載の空気調和機の制御装置。
【請求項８】
前記表示手段は、ドットマトリクス型の表示素子を備えてなることを特徴とする請求項１に記載の空気調和機の制御装置。
【発明の詳細な説明】
【技術分野】
【０００１】
本発明は、空気調和機の制御装置に関し、特に、表示内容を自由に変更可能な表示手段を備える空気調和機の制御装置に関するものである。
【背景技術】
【０００２】
従来より、空気調和機の制御装置は、冷房運転，暖房運転，除湿運転あるいは加湿運転等の運転機能の切換や、設定温度，設定湿度あるいは風量（風速）などの運転設定の変更を行うものである。また、かかる空気調和機の制御装置は、近年では運転機能や運転設定の設定値等の各種表示を行う表示手段を備えることが一般的であり、利用者は前記表示手段によって空気調和機の運転状況を確認しながら運転機能の切り換えや運転設定の変更を行うことが可能となっている（例えば特許文献１参照）。
【特許文献１】特開平５−１１８６２８号公報
【発明の開示】
【発明が解決しようとする課題】
【０００３】
ここで、従来の空気調和機の制御装置においては、変更可能な運転設定に対してはそれぞれその設定値を変更するための変更ボタンを備えるのが一般的であり、例えば温度設定に対しては温度変更ボタンが、湿度設定に対しては湿度設定ボタンが、風量設定に対しては風量設定ボタンがそれぞれ設けられている。そのため特に多機能を有する空気調和機の制御装置においては、これら変更ボタンの数量が多く、制御装置自体も大型化してしまうという問題点があった。また、近年、空気調和機の制御装置にタッチパネルを採用して構成の簡素化や小型化を実現する方法も検討されている。しかし、従来の構成をそのままタッチパネルに採用した場合、制御装置に用いられる表示手段は表示面積が比較的小さく、同時に表示する変更ボタンの数が多いために各変更ボタン間の距離が狭くなることから操作時に視認性が悪く、また、変更ボタンに触れる選択操作を行う際に他の変更ボタンにも触れるなどして誤操作を行うおそれがあるという問題点があった。
【０００４】
本発明は、この問題点に鑑みてなされたものであり、構成を簡素化させ小型化が可能であり、また、視認性及び操作性を向上させることが可能な空気調和機の制御装置を提供することを目的とする。
【課題を解決するための手段】
【０００５】
本発明は、前記課題を解決するため、複数の運転設定に基づいて運転する空気調和機の制御装置であって、前記各運転設定の設定値と設定変更対象を選択するための選択ボタンと前記設定値を変更するための変更ボタンとを表示可能な表示手段と、前記選択ボタンあるいは前記変更ボタンに対する選択動作を行うためのキー入力手段と、前記キー入力手段によって前記選択ボタンが選択動作されたと判定される場合に前記表示手段に前記変更ボタンを表示させ、さらに前記変更ボタンが選択動作されたと判定される場合に前記設定値を変更する制御手段と、を備えてなることを特徴とする。
【０００６】
また、前記制御手段は、前記設定変更対象に選択された前記運転設定の前記設定値の表示個所周辺に前記変更ボタンを表示させることを特徴とする。
【０００７】
また、前記制御手段は、前記表示手段に前記変更ボタンを表示させる際に前記設定変更対象に選択された前記運転設定の前記設定値を縮小表示させることを特徴とする。
【０００８】
また、前記制御手段は、前記変更ボタンの表示後に所定時間前記変更ボタンが選択動作されない場合は、前記変更ボタンの表示を終了させることを特徴とする。
【０００９】
また、前記選択ボタンは、前記設定値の表示個所からなることを特徴とする。
【００１０】
また、前記運転設定は、温度設定，湿度設定あるいは風量設定のいずれかを少なくとも含むことを特徴とする。
【００１１】
また、前記キー入力手段は、タッチパネルからなることを特徴とする。
【００１２】
また、前記表示手段は、ドットマトリクス型の表示素子を備えてなることを特徴とする。
【発明の効果】
【００１３】
本発明は、空気調和機の制御装置に関するものであって、構成を簡素化させ小型化が可能であり、また、視認性及び操作性を向上させることが可能となる。
【発明を実施するための最良の形態】
【００１４】
以下、添付図面に基づいて、本発明の実施形態を説明する。
【００１５】
リモートコントローラ（制御装置）１は、キー入力手段２と、制御手段３と、記憶部４と、送受信手段５と、表示手段６を有し、制御信号を送信して空気調和機Ａの運転を制御するものである。
【００１６】
キー入力手段２は、タッチパネル等からなり、表示手段６の表面側に配置され、利用者が表示手段６に表示される後述する選択ボタンあるいは変更ボタン等の各種ボタンの表示個所を指やタッチペンなどで触れる等の選択動作をすることで空気調和機Ａの制御に関する各種操作を行うものである。また、キー入力手段２は、本実施形態においては、特に温度設定，湿度設定及び風量設定を少なくとも含む各種運転設定における設定値の変更操作を行うものである。そのほか例えば冷房運転機能，暖房運転機能，除湿運転機能及び加湿運転機能等からなる各種運転機能の切換操作を行う。
【００１７】
制御手段３は、主にマイクロコンピュータによって構成されるものであり、所定のプログラムを実行するためのＣＰＵと、前記プログラムが記憶されたＲＯＭと、演算結果等を一時的に記憶するＲＡＭと、空気調和機Ａの運転を制御するために制御信号を出力するための駆動回路と、キー入力手段２からの操作信号を入力するためのインターフェイス部等を有している。また、制御手段３は、空気調和機Ａの運転機能及び運転設定等の運転状況を検出し、運転状況に関する情報を表示手段６に表示させる。
【００１８】
記憶部４は、各種運転機能及び運転設定における設定内容あるいは設定値等の各種データを不揮発的に記録するものであり、例えばＥＥＰＲＯＭからなる。
【００１９】
送受信手段５は、赤外線発光ダイオード及び赤外線センサ等を備え、制御手段３の前記制御信号を赤外線送信信号により空気調和機Ａに送信し、また、空気調和機Ａからの赤外線送信信号を受信するものである。送受信手段５の伝送路は、リモートコントローラ（制御装置）１と空気調和機Ａを通信線で接続した有線方式でもよい。
【００２０】
表示手段６は、表示素子として例えばドットマトリクス型の液晶表示素子を備えるものであり、その表示内容をドット表示によって自由に変更することができるものが用いられる。
【００２１】
次に、表示手段６の表示例について説明する。
【００２２】
図２は、表示手段６の表示例を示すものであり、各種運転機能のうち冷房運転機能が選択されている場合の表示例を示している。６ａは、運転設定のうち温度設定の状態を示す温度設定表示部であり、温度設定の設定値（図２においては「２０℃」）を表示する。６ｂは、運転設定のうち湿度設定の状態を示す湿度設定表示部であり、湿度設定の設定値（図２においては「５０％」）を表示する。６ｃは、運転設定のうち風量（風速）設定の状態を示す風量設定表示部であり、風量設定の設定値（図２においてはバー表示による３段階表示の２段階目）を表示する。また、表示手段６の表面側にはタッチパネルであるキー入力手段２が配置されており、温度設定表示部６ａ，湿度設定表示部６ｂ及び風量設定表示部６ｃにおける各設定値の表示は、それぞれ設定変更対象を選択するための選択ボタンとなっている。すなわち、温度設定表示部６ａに対して選択動作されると温度設定が設定変更対象として選択され、湿度設定表示部６ｂに対して選択動作されると湿度設定が設定変更対象として選択され、風量設定表示部６ｃが選択動作されると風量設定が設定変更対象として選択される。
【００２３】
制御手段３は、キー入力手段２からの前記操作信号を検出し、設定変更対象を選択する選択動作がされたと判定すると、設定変更対象に選択された運転設定の設定値を表示する表示部６ａ〜６ｃの周辺に設定値を変更するための変更ボタンを表示させる。
【００２４】
図３は、設定変更対象として温度設定が選択された際の表示手段６の表示例を示すものである。制御手段３は、設定変更対象に選択された温度設定の設定値を表示する温度設定表示部６ａを縮小表示させ、温度設定表示部６ａの周辺に変更ボタン６ｄ，６ｅを表示させる。なお、変更ボタン６ｄは設定値を増加させるボタンであり、変更ボタン６ｅは設定値を減少させるボタンである。さらに制御手段３は、キー入力手段２からの前記操作信号を検出し、変更ボタン６ｄ，６ｅの表示中に変更ボタン６ｄあるいは変更ボタン６ｅが選択動作されたと判定する場合は、温度設定の設定値を変更して変更内容を示す制御信号を送受信手段５を介して空気調和機Ａに送信し、また、表示手段６の表示内容を更新する。また、制御手段３は、変更ボタン６ｄ，６ｅを表示させた後に所定時間変更ボタン６ｄ，６ｅが選択動作されない場合は、変更ボタン６ｄ，６ｅの表示を終了させて表示手段６を図２の通常時の表示とする。
【００２５】
図４は、設定変更対象として湿度設定が選択された際の表示手段６の表示例を示すものである。制御手段３は、設定変更対象に選択された湿度設定の設定値を表示する湿度設定表示部６ｂを縮小表示させ、湿度設定表示部６ｂの周辺に変更ボタン６ｆ，６ｇを表示させる。なお、変更ボタン６ｆは設定値を増加させるボタンであり、変更ボタン６ｇは設定値を減少させるボタンである。また、図５は、設定値を変更する運転設定として風量設定が選択された表示手段６の表示例を示すものである。制御手段３は、設定変更対象に選択された風量設定の設定値を表示する風量設定表示部６ｃを縮小表示させ、風量設定表示部６ｃの周辺に変更ボタン６ｈ，６ｉを表示させる。なお、変更ボタン６ｈは設定値を増加させるボタンであり、変更ボタン６ｉは設定値を減少させるボタンである。
【００２６】
かかるリモートコントローラ１は、キー入力手段２としてタッチパネルを採用し変更ボタン６ｄ〜６ｉを表示手段６に表示させることによって構成を簡素化させて小型化が可能となる。また、キー入力手段２によって設定変更対象を選択する選択動作がなされた場合に設定変更対象に選択された運転設定に対する変更ボタン６ｄ〜６ｉを表示させることによって、設定変更操作時に変更ボタン６ｄ〜６ｉのうち運転設定の変更に必要な変更ボタンのみが表示されることで操作時の視認性が良く、また、誤操作するおそれがない高い操作性を保つことができる。
【００２７】
また、設定変更対象に選択された運転設定の設定値の表示部６ａ〜６ｃ周辺に変更ボタン６ｄ〜６ｉを表示させることによって、変更ボタン６ｄ〜６ｉの表示によって選択変更対象となった運転設定を利用者に強調することができ、操作時の視認性を向上させることができる。また、変更ボタン６ｄ〜６ｉを表示させる際に設定変更対象に選択された運転設定の設定値を縮小表示することで、表示手段６全体の表示面積が小さい場合であっても通常時の設定値の表示を大きくすることができ、表示の視認性を向上させることができる。
【００２８】
また、変更ボタン６ｄ〜６ｉ表示後に所定時間変更ボタン６ｄ〜６ｉが選択動作されない場合に、変更ボタン６ｄ〜６ｉを非表示として通常時の表示とすることで、誤って設定変更対象の選択動作をした場合であっても自動的に選択が解除されるため操作性を向上させることができる。
【００２９】
また、設定変更対象を選択するための選択ボタンを各運転設定の設定値を表示する表示部６ａ〜６ｃとすることで、表示手段６に表示させる項目数を削減でき、表示の視認性を向上させることができる。
【００３０】
なお、本実施形態においては、空気調和機の制御装置は、空気調和機Ａと別体に設けられるリモートコントローラ１であったが、本発明の制御装置は、空気調和機と一体的に設けられる操作パネルであってもよい。
【００３１】
また、本実施形態においては、各運転設定毎に異なる変更ボタン６ｄ〜６ｉが表示される構成であったが、本発明における変更ボタンは複数の運転設定に共通のボタンが表示されるものであってもよい。
【００３２】
また、本実施形態においては、運転設定として温度設定，湿度設定及び風量設定を含むものであったが、本発明の運転設定は設定変更可能なものであれば広く適用可能であり、本実施形態に限定されるものではない。
【図面の簡単な説明】
【００３３】
【図１】本発明の実施形態である空気調和機の制御装置の電気的構成を示すブロック図。
【図２】同上の表示手段の表示例を示す図。
【図３】同上の表示手段の表示例を示す図。
【図４】同上の表示手段の表示例を示す図。
【図５】同上の表示手段の表示例を示す図。
【符号の説明】
【００３４】
１  リモートコントローラ（制御装置）
２  キー入力手段
３  制御手段
４  記憶部
５  送受信手段
６  表示手段
６ａ  温度設定表示部
６ｂ  湿度設定表示部
６ｃ  風量設定表示部
６ｄ〜６ｉ  変更ボタン
【図１】
2009257668.tif 000003
【図２】
2009257668.tif 000004
【図３】
2009257668.tif 000005
【図４】
2009257668.tif 000006
【図５】
2009257668.tif 000007